(57)【要約】      （修正有）【課題】眼鏡の使用者が、眼鏡と同時に好適に使用できるマスクを提供する。【解決手段】マスク１は、使用者の口および鼻を覆うシート状の本体部と、本体部の左側端部と右側端部にそれぞれ配置されて耳に係止する耳掛穴１２が開口している耳掛部１１とを備え、耳掛部の前方上部に、眼鏡のテンプルを通過させる眼鏡通し穴１３が配置されている。眼鏡通し穴の後方端部から耳掛穴の頂上部までの距離は、５ｍｍ以上５０ｍｍ以下である。【選択図】図１
0003227252.tif 000002
【実用新案登録請求の範囲】
【請求項１】
使用者の口および鼻を覆うシート状の本体部と、前記本体部の左側端部および右側端部に配置されており耳に係止する耳掛穴が開口している耳掛部と、を備えているマスクであって、
前記耳掛部が、前記本体部に近接する上方の位置に、眼鏡のテンプルを通過させる眼鏡通し穴を有しており、前記眼鏡通し穴の後方端部から前記耳掛穴の頂上部までの距離が５ｍｍ以上５０ｍｍ以下であることを特徴とするマスク。
【請求項２】
前記眼鏡通し穴の形状が、平行四辺形、円形、または楕円形から選択されるいずれかの形状を有していることを特徴とする請求項１記載のマスク。
【考案の詳細な説明】
【技術分野】
【０００１】
本考案は、使用者の顔に装着して鼻および口の周辺を覆うマスクに関する。特に、眼鏡を使用する者が好適に使用可能なマスクに関する。
【背景技術】
【０００２】
従来のマスクとして、長方形のガーゼや布からなる本体部と、本体部の左右両側に配置されたゴム紐の耳掛部とで構成されたマスクが知られている。また近年では、折りたたんだ状態では平坦なシート状となり、ひろげると外側に膨らんだ形状となる立体マスクが知られている。このような立体マスクでは、耳掛部と本体部とが同一の素材で一体的に形成されていることが多い。
【０００３】
眼鏡の使用者が従来のマスクを着用する場合、使用者の耳に、眼鏡のテンプル（つる）とマスクの耳掛部の両方が接触して干渉することになる。たとえば視力矯正用の眼鏡では、テンプルの形状を使用者の頭部の形状に合わせて正確に調整していることが多く、耳とテンプルの間にマスクが挟まることは、使用者に違和感を与える原因となる。一方で、マスクは使用者の鼻と口の周囲を隙間なく覆うことが好ましいが、眼鏡の外側からマスクをかけると、顔とマスクの間に隙間があき、また、眼鏡が曇る一因となる。
【０００４】
特許文献１には、マスクの耳掛部の端部に係止部材を配置して中空孔を形成し、中空孔に眼鏡のテンプルを挿通させて、本来は耳で指示するマスクを眼鏡で支持する技術が開示されている。また、特許文献２には、眼鏡のテンプルに装着してマスクの紐を係止させる紐用ガードが開示されている。
【０００５】
しかしながら、眼鏡のテンプルにマスクを取り付けた場合、眼鏡とマスクの一方を動かしたときに、もう一方がずれてしまう可能性がある。また、マスクを眼鏡に支持させることで、使用者に眼鏡を重く感じさせ、眼鏡とマスクが干渉することとは別の違和感を感じさせる可能性がある。
【先行技術文献】
【特許文献】
【０００６】
【特許文献１】実用新案登録第３１３６５８７０号公報
【特許文献２】特開２０１４−１９７１７７号公報
【考案の概要】
【考案が解決しようとする課題】
【０００７】
本考案は、従来の課題に鑑みてなされたものであり、眼鏡の使用者であっても、違和感なく好適に使用できるマスクの提供を、解決すべき課題としてなされたものである。
【課題を解決するための手段】
【０００８】
本考案のマスクは、使用者の口および鼻を覆うシート状の本体部と、本体部の左側端部と右側端部にそれぞれ配置されており耳に係止する耳掛穴が開口している耳掛部とを備えている。本考案のマスクは、耳掛部が、本体部に近接する上方の位置に、眼鏡のテンプルを通過させる眼鏡通し穴を有しており、眼鏡通し穴の後方端部から耳掛穴の頂上部までの距離が、５ｍｍ以上５０ｍｍ以下であることを特徴とする。
【０００９】
本考案のマスクは、眼鏡通し穴の形状が、平行四辺形、円形、または楕円形から選択されるいずれかの形状を有していることが好ましい。
【考案の効果】
【００１０】
本考案のマスクは、眼鏡通し穴に眼鏡のテンプルを通過させて使用することができる。眼鏡使用者は、本考案のマスクを使用することで、鼻と口の周囲ではマスクを眼鏡から離れた状態で装着することができる。同時に、眼鏡には干渉しない好みの位置にマスクの耳掛部を配置することができる。
【００１１】
眼鏡通し穴の位置と形状が最適化されていることで、使用者は、顔の大きさや眼鏡のテンプルの形状にかかわらず、マスクと眼鏡の両方を同時に、快適に使用することができる。本考案のマスクは、従来技術のように追加の部品を用いることがないため従来よりも安価に提供することができる。さらに、眼鏡を使用しない者であっても、快適に使用することができる。
【図面の簡単な説明】
【００１２】
【図１】図１は、実施形態のマスクの斜視図である。
【図２】図２は、実施形態のマスクを開いたときの正面図である。
【図３】図３は、実施形態のマスクを畳んだときの左側面図である。
【図４】図４は、実施形態のマスクの眼鏡通し穴周辺の拡大図である。
【図５】図５は、眼鏡使用者が実施形態のマスクを装着した状態を示す図である。
【図６】図６（ａ）〜（ｃ）は、眼鏡通し穴の変形例を示す図である。
【考案を実施するための形態】
【００１３】
以下、本考案のマスクの最も好適な実施形態について、図面を参照しつつ説明する。図１に好適な実施形態のマスクの斜視図を示し、図２にマスクの開いたときの正面図を示し、図３にマスクを畳んだときの左側面図を示す。
【００１４】
本明細書および実用新案登録請求の範囲において、「上下」、「左右」、「前後」と記載した場合の方向は、マスクを装着して直立した状態で使用者が認識する上下方向、左右方向、および前後方向にそれぞれ対応している。
【００１５】
本実施形態のマスク１は、使用者の口および鼻を覆うシート状の本体部１０と、本体部の左側端部と右側端部にそれぞれ配置されている耳掛部１１を備えている。耳掛部１１には、耳に係止する耳掛穴１２が開口している。耳掛部１１には、眼鏡２０のテンプル２１を通過させるための、眼鏡通し穴１３が開口している。
【００１６】
本実施形態のマスク１は、右側シート２と左側シート３とを、接合線４の位置で接合して形成されている。右側シート２と左側シート３は、溶着、接着、縫合などの方法によって接合されており、その結果、マスク１は、接合線４を中心線とする線対称の形状を有している。
【００１７】
マスク１は、通気性があり、且つ伸縮性のある材料で形成される。マスク１の最も好適な材料は合成樹脂であり、特に、ポリエステル、ポリウレタンが好適に用いられる。マスク１に合成樹脂を適用する場合には、厚さ０．２ｍｍ〜２．０ｍｍに成形した樹脂シートが好適に用いられる。マスク１の材料としては、天然繊維などのその他の素材や、不織布を適用することも可能である。
【００１８】
従来から顔の様々な寸法を基準にしてマスクのサイズを決定する方法が開示されている。例えば「耳の付け根の一番高いところから、鼻の付け根から１ｃｍ下」までの長さを基準として「子供用サイズ」、「小さめサイズ」、「普通サイズ」、「大きめサイズ」のマスクの大きさを定めた方法が知られている（一般社団法人  日本衛生材料工業連合会のウェブサイト「http://www.jhpia.or.jp/」）。本考案のマスク１の本体部１０は、これらの基準に準拠して様々な大きさに形成することができる。
【００１９】
マスク１の本体部１０の形状について説明する。図３に、畳んだ状態のマスク１の左側面図を示す。本体部１０の中央の接合線４は、鼻梁に沿うように、外側に凸となる曲線形状を有している。本体部１０の上側の周縁部の形状は、接合線４側では鼻根の周囲に沿うように下に凸の曲線となっており、左右の端部に近づくにつれて曲率が大きくなり、耳側の終端部でほぼ直線上となっている。本体部１０の下側の周縁部の形状は、使用者の顎の線に沿うように、直線または緩やかな曲線状である。この結果、本体部１０は、接合線４の位置で上下方向に最も長く、左右の端部に近づくにつれて短くなっている。折り畳んだときの右側シート２および左側シート３の本体部の形状は、略扇型となる。
【００２０】
マスク１の耳掛部１１の形状について説明する。図１〜図３に示すように、耳掛部１１は、本体部１０の左右の端部にそれぞれ配置されており、ほぼ中央に、耳に係止するための耳掛穴１２が開口している。耳掛穴１２の形状は、耳の付け根に接触する上側と後方の形状が円形であることが好ましい。本実施形態では、全体が略楕円形（卵形）で、前方下端部の角が鋭角に形成された耳掛穴１２を示している。しかしながら、耳掛穴１２の前方下端部の形状は任意に変更することができる。耳掛部１１は、耳掛穴１２の後方では、ほぼ一定幅の紐状に形成されている。
【００２１】
一枚の樹脂シートから右側シート２と左側シート３を切り出すことによって、本体部１０と耳掛部１１とを一体で形成することができる。この場合、本体部１０と耳掛部１１は境界がない状態で結合している。本明細書では、一体に成形された右側シート２と左側シート３について、口と鼻を覆って閉空間を形成する部分を本体部１０とする。そして、この本体部１０の左側端部と右側端部にそれぞれ連なっており、耳掛穴１２と以下に説明する眼鏡通し穴１３が開口している部分を耳掛部１１と規定する。
【００２２】
眼鏡通し穴１３の好適な形状について説明する。図４に、左側シート３の眼鏡通し穴１３周辺の拡大図を示す。眼鏡通し穴１３は、耳掛部１１の中の、本体部に近接する上方の位置に配置されている。本実施形態における眼鏡通し穴１３は、一辺が５〜１０ｍｍの平行四辺形の貫通孔として形成されている。また、眼鏡通し穴の長さは、８ｍｍ以上２０ｍｍ以下である。
【００２３】
ここでいう「眼鏡通し穴の長さ」とは眼鏡通し穴１３の周縁部の中で互いに対して最も遠い位置にある２点間の距離のことを指しており、本実施形態では、平行四辺形の二本の対角線のうち長い方の長さを指す。
【００２４】
眼鏡通し穴１３の長さが８ｍｍ以上であることで、使用者は、様々な種類の眼鏡のテンプルを眼鏡通し穴１３に通すことができ、またマスク装着時には眼鏡に対してマスクをスライドさせて位置の調整を行うことができる。同時に、眼鏡通し穴１３の長さが２０ｍｍ以下であることで、眼鏡通し穴１３が開きすぎてマスク１が大きく変形したりよじれたりする可能性が低くなっている。
【００２５】
眼鏡通し穴１３の好適な位置について説明する。本実施形態のマスク１の眼鏡通し穴１３の位置は、後方端部である頂点１３ａから耳掛穴の頂上部１２ａまでの距離Ｌ１が、５ｍｍ以上５０ｍｍ以下であることを特徴とする。また、一実施形態として、耳掛部１１の上辺１５と眼鏡通し穴１３の周縁部との距離Ｌ２が５ｍｍ以上であり、且つ耳掛穴１２の周縁部１６と眼鏡通し穴１３の周縁部との距離Ｌ３が５ｍｍ以上とすることが好ましい。
【００２６】
図５に、眼鏡使用者が実施形態のマスク１と眼鏡２０を装着した状態を示す。本実施形態のマスク１の好ましい装着手順は、以下の通りである。使用者は、眼鏡２０とマスク１を装着する前に、眼鏡２０のテンプル２１を、眼鏡通し穴１３に対して前方外側から後方内側に挿通して、眼鏡２０にマスク１を取り付ける。その後に、使用者は、眼鏡２０のテンプル２１を耳の付け根の頂上部にかけることで、眼鏡２０を装着する。そして、眼鏡２０を装着した後に、マスク１の耳掛部１１の耳掛穴１２を、眼鏡２０の外側から、耳に係止してマスク１を装着する。多くの場合、耳掛穴１２の頂上部１２ａは、耳の付け根の頂上部付近に配置される。このとき、眼鏡通し穴１３によってマスク１と交差したテンプル２１は、マスク１の耳掛部１１と干渉することなく、耳掛部１１の内側で耳に係止される。一方で、マスク１の本体部１０は眼鏡２０よりも下側に配置される。
【００２７】
マスク１は、眼鏡通し穴１３の後方端部である頂点１３ａから耳掛穴の頂上部１２ａまでの距離Ｌ１が最適な距離である５ｍｍ以上５０ｍｍ以下である場合、耳掛部１１が係止されている耳の付け根の頂上部から眼鏡２０とマスク１の交差位置までの距離は、５ｍｍ以上５０ｍｍ以下の範囲に規定される。この距離は、耳掛部１１がテンプル２１の外側を通過してテンプル２１と耳の間に挟まることなく耳に係止するための最適な距離であり、同時に、マスク１の本体部１０が、眼鏡２０よりも下側に配置されて鼻と口を好適に覆い、気密性を保つための最適な距離である。
【００２８】
また、耳掛部１１の上辺１５と眼鏡通し穴１３の周縁部との距離Ｌ２が５ｍｍ以上であり、且つ耳掛穴１２の周縁部１６と眼鏡通し穴１３の周縁部との距離Ｌ３が５ｍｍ以上となっている場合、眼鏡通し穴１３は、少なくとも幅５ｍｍの耳掛部１１によって、周囲を取り囲まれることになる。５ｍｍ以上の幅を確保していることで、マスク１を繰り返し着脱し、複数回使用した場合であっても、必要な強度が確保される。
【００２９】
図６に、眼鏡通し穴の変形例を示す。図６（ａ）の眼鏡通し穴は、円形である。図６（ｂ）の眼鏡通し穴は、楕円形である。図6（ｃ）の眼鏡通し穴は、長方形である。その他、眼鏡通し穴の形状を、スリット状や菱形にすることができる。
【００３０】
図６に示した眼鏡通し穴は、眼鏡通し穴の配置の条件を満たすことによって、眼鏡を使用する者が好適に使用可能であり、耳に違和感を与えずに眼鏡とマスクを同時に使用することができる。
【００３１】
以上、好適なマスクの実施形態を説明したが、ここで示したマスク各部の寸法や形状は例示を目的としたものであり、実用新案登録請求の範囲を限定することを意図したものではない。実用新案請求の範囲には、実施形態の様々を変形し、応用したマスクが含まれる。たとえば、眼鏡通し穴の形状は、菱形やスリット状であっても良い。また、マスクの本体部と耳掛部は別々の部品として成形し、接着、溶着、縫合によって結合することができる。
【産業上の利用可能性】
【００３２】
本考案のマスクは、「家庭用マスク」として子供から大人まで、好適に使用することができる。
【符号の説明】
【００３３】
１    マスク
２    右側シート
３    左側シート
４    接合線
１０    本体部
１１    耳掛部
１２    耳掛穴
１２ａ  耳掛穴の頂上部
１３    眼鏡通し穴
１３ａ  眼鏡通し穴の後方端部
２０    眼鏡
２１    テンプル
Ｌ１    眼鏡通し穴の後方端部と耳掛穴の頂上部との距離
Ｌ２    耳掛部の上辺と眼鏡通し穴の周縁部との距離
Ｌ３    耳掛穴の周縁部と眼鏡通し穴の周縁部との距離
【図１】
0003227252.tif 000003
【図２】
0003227252.tif 000004
【図３】
0003227252.tif 000005
【図４】
0003227252.tif 000006
【図５】
0003227252.tif 000007
【図６】
0003227252.tif 000008